(57)【要約】  本願は、端末デバイスの能力制限方法、端末デバイス、ネットワークデバイス及びコンピュータ記憶媒体を開示し、ここで、方法は、端末デバイスが能力を制限する必要がある場合、前記端末デバイスの能力制限要求をネットワーク側に送信することと、ネットワーク側から返信された、前記端末デバイスが制限される能力を使用するように許可する指示を受信することと、前記端末デバイスが制限される能力を使用するように許可する指示に基づいて、少なくとも１つタイプの能力制限情報をネットワーク側に送信することとを含む。
2021502726.tif 000002
【特許請求の範囲】
【請求項１】
端末デバイスに応用される端末デバイスの能力制限方法であって、
端末デバイスが能力を制限する必要がある場合、前記端末デバイスの能力制限要求をネットワーク側に送信することと、
ネットワーク側から返信された、前記端末デバイスが制限される能力を使用するように許可する指示を受信することと、
前記端末デバイスが制限される能力を使用するように許可する指示に基づいて、少なくとも１つタイプの能力制限情報をネットワーク側に送信することとを含む
ことを特徴とする端末デバイスの能力制限方法。
【請求項２】
前記端末デバイスの能力制限要求をネットワーク側に送信することは、
ＭＳＧ３又はＭＳＧ５に前記端末デバイスの能力制限要求を付けることを含む
ことを特徴とする請求項１に記載の端末デバイスの能力制限方法。
【請求項３】
前記端末デバイスの能力制限要求をネットワーク側に送信することは、
メディアアクセス制御層ＭＡＣ制御ユニットＣＥには、前記端末デバイスの能力制限要求が含まれる
ことを特徴とする請求項１に記載の端末デバイスの能力制限方法。
【請求項４】
前記方法は、さらに、
前記ＭＳＧ３、ＭＳＧ５及びＭＡＣ  ＣＥのいずれかには、前記端末デバイスの能力制限の原因情報が含まれる
ことを特徴とする請求項２又は３に記載の端末デバイスの能力制限方法。
【請求項５】
前記方法は、さらに、
少なくとも１つのデータビットを含むデータ領域が前記ＭＡＣ  ＣＥに設けられ、前記少なくとも１つのデータビットにおいて、各データビットが１つの前記端末デバイスの能力制限の原因情報に対応することと、
前記端末デバイスの今回の能力制限の原因情報に基づいて、前記データ領域において目標データビットを目標値として設定することとを含む
ことを特徴とする請求項４に記載の端末デバイスの能力制限方法。
【請求項６】
少なくとも１つタイプの能力制限情報を前記ネットワーク側に送信することは、
ＭＳＧ５には、少なくとも１つのタイプの制限能力からなるリスト情報が含まれることを含む
ことを特徴とする請求項１に記載の端末デバイスの能力制限方法。
【請求項７】
少なくとも１つタイプの能力制限情報を前記ネットワーク側に送信することは、
少なくとも１つタイプの一時制限される端末デバイスの能力情報をネットワーク側に報告することを含む
ことを特徴とする請求項１に記載の端末デバイスの能力制限方法。
【請求項８】
ネットワークデバイスに応用される端末デバイスの能力制限方法であって、
前記端末デバイスから報告された能力制限要求を受信することと、
前記端末デバイスが制限される能力を使用するように許可する指令を前記端末デバイスに返信することと、
前記端末デバイスから報告され少なくとも１つタイプの能力制限情報を受信することとを含む
ことを特徴とする端末デバイスの能力制限方法。
【請求項９】
前記端末デバイスから報告された能力制限要求を受信することは、
ＭＳＧ３又はＭＳＧ５から、前記端末デバイスの能力制限要求を取得することを含む
ことを特徴とする請求項８に記載の端末デバイスの能力制限方法。
【請求項１０】
前記端末デバイスが制限される能力を使用するように許可する指令を前記端末デバイスに返信することは、
前記端末デバイスが制限される能力を使用するように許可する指示が含まれるＭＳＧ４を、前記端末デバイスに送信することを含む
ことを特徴とする請求項９に記載の端末デバイスの能力制限方法。
【請求項１１】
前記端末デバイスから報告された能力制限要求を受信することは、
メディアアクセス制御層ＭＡＣ制御ユニットＣＥから、前記端末デバイスの能力制限要求を取得することを含む
ことを特徴とする請求項８に記載の端末デバイスの能力制限方法。
【請求項１２】
前記端末デバイスが制限される能力を使用するように許可する指令を前記端末デバイスに返信することは、
前記端末デバイスが制限される能力を使用するように許可する指示が含まれるＭＡＣ  ＣＥを、前記端末デバイスに送信することを含む
ことを特徴とする請求項１１に記載の端末デバイスの能力制限方法。
【請求項１３】
前記方法は、さらに、
前記ＭＳＧ３、ＭＳＧ５及びＭＡＣ  ＣＥのいずれから、前記端末デバイスの能力制限の原因情報を取得することを含む
ことを特徴とする請求項９〜１２のいずれか１項に記載の端末デバイスの能力制限方法。
【請求項１４】
前記方法は、さらに、
前記ＭＡＣ  ＣＥにおいて、少なくとも１つのデータビットを含むデータ領域を検出し、前記少なくとも１つのデータビットにおいて、各データビットが１つの前記端末デバイスの能力制限の原因情報に対応することと、
前記データ領域内の目標データビットに基づいて目標値を設定し、前記端末デバイスの能力制限の原因を決定することとを含む
ことを特徴とする請求項１３に記載の端末デバイスの能力制限方法。
【請求項１５】
前記方法は、さらに、
前記端末デバイスから報告された少なくとも１つタイプの能力制限情報を記憶することと、
前記少なくとも１つタイプの能力制限情報に基づいて、対応する無線リソースを前記端末デバイスに構成することとを含む
ことを特徴とする請求項８に記載の端末デバイスの能力制限方法。
【請求項１６】
前記方法は、さらに、
前記端末デバイスが新たな基地局のカバーエリア内に移動した場合に、前記端末デバイスの少なくとも１つタイプの能力制限情報を前記新たな基地局に送信することを含む
ことを特徴とする請求項８に記載の端末デバイスの能力制限方法。
【請求項１７】
第１の通信ユニットと、第１の処理ユニットと、を備える端末デバイスであって、
前記第１の通信ユニットは、端末デバイスが能力を制限する必要がある場合、前記端末デバイスの能力制限要求をネットワーク側に送信し、ネットワーク側から返信された、前記端末デバイスが制限される能力を使用するように許可する指示を受信するように構成され、
前記第１の処理ユニットは、前記端末デバイスが制限される能力を使用するように許可する指示に基づいて、前記第１の通信ユニットを介して前記ネットワーク側に少なくとも１つタイプの能力制限情報を送信するように構成される
ことを特徴とする端末デバイス。
【請求項１８】
前記第１の通信ユニットは、ＭＳＧ３又はＭＳＧ５に前記端末デバイスの能力制限要求を付けるように構成される
ことを特徴とする請求項１７に記載の端末デバイス。
【請求項１９】
前記第１の通信ユニットは、メディアアクセス制御層ＭＡＣ制御ユニットＣＥに前記端末デバイスの能力制限要求を含ませるように構成される
ことを特徴とする請求項１７に記載の端末デバイス。
【請求項２０】
前記第１の処理ユニットは、前記ＭＳＧ３、ＭＳＧ５及びＭＡＣ  ＣＥのいずれかに、前記端末デバイスの能力制限の原因情報を含ませる
ことを特徴とする請求項１８又は１９に記載の端末デバイス。
【請求項２１】
前記第１の処理ユニットは、少なくとも１つのデータビットを含むデータ領域を前記ＭＡＣ  ＣＥに設け、前記少なくとも１つのデータビットにおいて、各データビットが１つの前記端末デバイスの能力制限の原因情報に対応し、前記端末デバイスの今回の能力制限の原因情報に基づいて、前記データ領域において目標データビットを目標値として設定するように構成される
ことを特徴とする請求項２０に記載の端末デバイス。
【請求項２２】
前記第１の通信ユニットは、ＭＳＧ５に、少なくとも１つのタイプの制限能力からなるリスト情報を含ませるように構成される
ことを特徴とする請求項１７に記載の端末デバイス。
【請求項２３】
前記第１の通信ユニットは、少なくとも１つタイプの一時制限される端末デバイスの能力情報をネットワーク側に報告するように構成される
ことを特徴とする請求項１７に記載の端末デバイス。
【請求項２４】
第２の通信ユニットを備えるネットワークデバイスであって、
前記第２の通信ユニットは、前記端末デバイスから報告された能力制限要求を受信し、前記端末デバイスが制限される能力を使用するように許可する指令を前記端末デバイスに返信し、前記端末デバイスから報告され少なくとも１つタイプの能力制限情報を受信するように構成される
ことを特徴とするネットワークデバイス。
【請求項２５】
前記第２の通信ユニットは、ＭＳＧ３又はＭＳＧ５から、前記端末デバイスの能力制限要求を取得するように構成される
ことを特徴とする請求項２４に記載のネットワークデバイス。
【請求項２６】
前記第２の通信ユニットは、前記端末デバイスが制限される能力を使用するように許可する指示をＭＳＧ４に含ませ、前記端末デバイスに送信するように構成される
ことを特徴とする請求項２５に記載のネットワークデバイス。
【請求項２７】
前記第２の通信ユニットは、メディアアクセス制御層ＭＡＣ制御ユニットＣＥから、前記端末デバイスの能力制限要求を取得するように構成される
ことを特徴とする請求項２４に記載のネットワークデバイス。
【請求項２８】
前記第２の通信ユニットは、前記端末デバイスが制限される能力を使用するように許可する指示をＭＡＣ  ＣＥに含ませ、前記端末デバイスに送信するように構成される
ことを特徴とする請求項２７に記載のネットワークデバイス。
【請求項２９】
前記ネットワークデバイスは、さらに、第２の処理ユニットを含み、
前記第２の処理ユニットは、前記ＭＳＧ３、ＭＳＧ５及びＭＡＣ  ＣＥのいずれから、前記端末デバイスの能力制限の原因情報を取得するように構成される
ことを特徴とする請求項２４〜２８のいずれか１項に記載のネットワークデバイス。
【請求項３０】
前記第２の処理ユニットは、前記ＭＡＣ  ＣＥにおいて、少なくとも１つのデータビットを含むデータ領域を検出し、前記データ領域内の目標データビットに基づいて目標値を設定し、前記端末デバイスの能力制限の原因を決定するように構成され、
前記少なくとも１つのデータビットにおいて、各データビットが１つの前記端末デバイスの能力制限の原因情報に対応する
ことを特徴とする請求項２９に記載のネットワークデバイス。
【請求項３１】
前記ネットワークデバイスは、さらに、第２の処理ユニットを含み、
前記第２の処理ユニットは、前記端末デバイスから報告された少なくとも１つタイプの能力制限情報を記憶し、前記少なくとも１つタイプの能力制限情報に基づいて、対応する無線リソースを前記端末デバイスに構成するように構成される
ことを特徴とする請求項２４に記載のネットワークデバイス。
【請求項３２】
前記ネットワークデバイスは、さらに、第２の処理ユニットを含み、
前記第２の処理ユニットは、
前記端末デバイスが新たな基地局のカバーエリア内に移動した場合に、第２の通信ユニッを介して前記端末デバイスの少なくとも１つタイプの能力制限情報を前記新たな基地局に送信するように構成される
ことを特徴とする請求項２４に記載のネットワークデバイス。
【請求項３３】
プロセッサと、前記プロセッサ上で実行可能なコンピュータプログラムを格納するメモリとを備え、
前記プロセッサが、前記コンピュータプログラムを実行することによって、請求項１〜７のいずれか一項に記載の方法のステップを実行する
ことを特徴とする端末デバイス。
【請求項３４】
プロセッサと、前記プロセッサ上で実行可能なコンピュータプログラムを格納するメモリとを備え、
前記プロセッサが、前記コンピュータプログラムを実行することによって、請求項８〜１６のいずれか一項に記載の方法のステップを実行する
ことを特徴とするネットワークデバイス。
【請求項３５】
請求項１から１６のいずれか一項に記載の方法ステップを実行するコンピュータ実行可能命令を記憶した
ことを特徴とするコンピュータ記憶媒体。
【発明の詳細な説明】
【技術分野】
【０００１】
本願は、情報処理技術分野に関し、特に、端末デバイスの能力制限方法、端末デバイス、ネットワークデバイス及びコンピュータ記憶媒体に関する。
【背景技術】
【０００２】
現在、人々が速度、遅延、高速移動性、エネルギー効率に対する追求、及び将来の生活におけるサービスの多様性、複雑性に伴い、３ＧＰＰ国際標準団体が５Ｇを開発している。ＮＲの早期展開では、完全なＮＲカバレージを取得することは困難であり、したがって、典型的なネットワークカバレージは、広域ＬＴＥカバレージおよびＮＲの離島カバレージモードである。
【０００３】
ＮＲにおける端末デバイスの能力取得のアーキテクチャに関して、報告はＵＥ要求に基づいて行われる。端末デバイスから見て、他のバンドからの干渉、過熱、バッテリー消耗等の問題が発生した場合、端末デバイスは、一時的に自分の能力を変更して基地局に報告し、制限される端末デバイスの能力情報を使用するように基地局に要求し、即ち、端末デバイスの能力使用を低下させることで、上記の問題を緩和することができ、ＵＥにとって有益かつ有意義である。しかしながら、端末デバイスが自律的に能力情報を変更すると、デバイスの不安定さ、ＵＥの予期せぬ挙動、追加のシグナリング負荷、およびユーザのクレームなどの問題を引き起こし得る。
【発明の概要】
【０００４】
本願は、以上の問題を解決するために、端末デバイスの能力制限方法、端末デバイス、ネットワークデバイス及びコンピュータ記憶媒体を提供する。
【０００５】
本願は、端末デバイスの能力制限方法を提供し、端末デバイスに応用され、
端末デバイスが能力を制限する必要がある場合、前記端末デバイスの能力制限要求をネットワーク側に送信することと、
ネットワーク側から返信された、前記端末デバイスが制限される能力を使用するように許可する指示を受信することと、
前記端末デバイスが制限される能力を使用するように許可する指示に基づいて、少なくとも１つタイプの能力制限情報をネットワーク側に送信することとを含む。
【０００６】
本願は、端末デバイス能力を制限する情報を提供し、ネットワークデバイスに応用され、
前記端末デバイスから報告された能力制限要求を受信することと、
前記端末デバイスが制限される能力を使用するように許可する指令を前記端末デバイスに返信することと、
前記端末デバイスから報告され少なくとも１つタイプの能力制限情報を受信することとを含む。
【０００７】
本願は、端末デバイスを提供し、第１の通信ユニット及び第１の処理ユニットを含み、
前記第１の通信ユニットは、端末デバイスが能力を制限する必要がある場合、前記端末デバイスの能力制限要求をネットワーク側に送信し、ネットワーク側から返信された、前記端末デバイスが制限される能力を使用するように許可する指示を受信するように構成され、
前記第１の処理ユニットは、前記端末デバイスが制限される能力を使用するように許可する指示に基づいて、前記第１の通信ユニットを介して前記ネットワーク側に少なくとも１つタイプの能力制限情報を送信するように構成される。
【０００８】
本願は、ネットワークデバイスを提供し、第２の通信ユニットを含み、
第２の通信ユニットは、前記端末デバイスから報告された能力制限要求を受信し、前記端末デバイスが制限される能力を使用するように許可する指令を前記端末デバイスに返信し、前記端末デバイスから報告され少なくとも１つタイプの能力制限情報を受信するように構成される。
【０００９】
本願は、端末デバイスを提供し、プロセッサと、前記プロセッサ上で実行可能なコンピュータプログラムを格納するメモリとを備え、
プロセッサは、コンピュータプログラムを実行することによって、上述した方法のステップを実行する。
【００１０】
本願は、ネットワークデバイスを提供し、プロセッサと、前記プロセッサ上で実行可能なコンピュータプログラムを格納するメモリとを備え、
プロセッサは、コンピュータプログラムを実行することによって、上述した方法のステップを実行する。
【００１１】
本願は、実行されると、上記方法ステップを実施するコンピュータ実行可能命令を記憶したコンピュータ記憶媒体をさらに提供する。
【００１２】
本願に係る技術案は、端末デバイスが一時制限されるＵＥ能力情報の使用要求を指示し、その後、一時制限される能力情報をネットワーク側に報告することで、ネットワーク側で以降の処理を行うようにトリガーし、端末デバイスの電力保護、干渉回避を図ることができる。
【図面の簡単な説明】
【００１３】
【図１】本願の端末デバイスの能力制限方法のフローチャート一である。
【図２】本願の情報フォーマットの模式図である。
【図３】本願の端末デバイスの能力制限方法のフローチャート二である
【図４】本願の端末デバイスの能力制限方法のフローチャート三である
【図５】本願の端末デバイスの能力制限方法のフローチャート四である
【図６】本願の端末デバイスの構成図である。
【図７】本願のネットワークデバイスの構成図である。
【図８】本願のハードウェアの構成図である。
【発明を実施するための形態】
【００１４】
本願の実施例は、本発明の特徴及び技術内容をより詳細に理解するために、添付図面と共に以下に詳細に説明され、添付図面は、説明のためのものであり、本願を限定するものではない。
【００１５】
実施例一、
本願は、端末デバイスの能力制限方法を提供し、端末デバイスに応用され、図１に示すように、ステップ１０１〜１０３を含む。
【００１６】
ステップ１０１において、端末デバイスが能力を制限する必要がある場合、前記端末デバイスの能力制限要求をネットワーク側に送信し
ステップ１０２において、ネットワーク側から返信された、前記端末デバイスが制限される能力を使用するように許可する指示を受信し、
ステップ１０３において、前記端末デバイスが制限される能力を使用するように許可する指示に基づいて、少なくとも１つタイプの能力制限情報をネットワーク側に送信する。
【００１７】
この実施例のステップ１０１にいて、ネットワーク側に前記端末デバイスの能力制限要求をすることは、複数の実現方式を含み、具体的に、
ＭＳＧ３又はＭＳＧ５に前記端末デバイスの能力制限要求を付け、
又は、
メディアアクセス制御層（ＭＡＣ）制御ユニット（ＣＥ）には、前記端末デバイスの能力制限要求が含まれる。
【００１８】
さらに、能力制限要求を送信する場合、ネットワーク側に能力制限に対応する原因情報を送信しても良く、具体的に、前記ＭＳＧ３、ＭＳＧ５及びＭＡＣ ＣＥのいずれかには、前記端末デバイスの能力制限の原因情報が含まれる。
【００１９】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００２０】
少なくとも１つのデータビットを含むデータ領域が前記ＭＡＣ ＣＥに設けられ、ここで、前記少なくとも１つのデータビットにおいて、各データビットが１つの前記端末デバイスの能力制限の原因情報に対応し、前記端末デバイスの今回の能力制限の原因情報に基づいて、前記データ領域において目標データビットを目標値として設定する。すなわち、原因情報に基づいて、対応する目標データビットを決定し、目標データビットを対応する目標値に設定する。目標値は、実際の状況に応じて設定されてよく、例えば、１に設定されたときに、対応する原因情報を表すことができる。
【００２１】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原因がＵＥ送信要求をトリガする場合、対応するｂｉｔは１に設定される。
【００２２】
さらに、ステップ１０３において、前記ネットワーク側に少なくとも１つタイプの能力制限情報を送信することは、以下の方式を含む。
【００２３】
方式１として、ＭＳＧ５には、少なくとも１つのタイプの制限能力からなるリスト情報が含まれることを含む。
【００２４】
すなわち、ブラックリストの一種の方式を用いて、複数の使用しない能力をネットワーク側に報告する。
【００２５】
方式２として、少なくとも１つタイプの一時制限される端末デバイスの能力情報をネットワーク側に報告することを含む。
【００２６】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱なども付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００２７】
別のシーンでは、図４を参照すると、ＵＥ報告による一時的制限方法である。
【００２８】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００２９】
ＵＥは、ＭＳＧ３又はＭＳＧ５において、端末デバイスの能力制限要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するbitは１に設定される
基地局は、端末デバイスに制限能力を使用できるようにする指示を端末デバイスに送信することによってＵＥ能力報告要求を開始し、ＵＥ能力報告要求メッセージに一時ＵＥ制限される能力指示を報告するように要求する。その後、ＵＥメッセージを初期化する。
【００３０】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００３１】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００３２】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００３３】
実施例二、
本願は、端末デバイスの能力制限方法を提供し、ネットワークデバイスに応用され、図５に示すように、ステップ５０１〜５０３を含み、
ステップ５０１において、端末デバイスが能力を制限する必要がある場合、前記端末デバイスから報告された能力制限要求を受信し、
ステップ５０２において、前記端末デバイスが制限される能力を使用するように許可する指令を前記端末デバイスに返信し、
ステップ５０３において、前記端末デバイスから報告され少なくとも１つタイプの能力制限情報を受信する。
【００３４】
この実施例のステップ５０１において、前記端末デバイスから報告された能力制限要求を受信することは、
ＭＳＧ３又はＭＳＧ５から、前記端末デバイスの能力制限要求を取得し、
又は、
メディアアクセス制御層ＭＡＣ制御ユニットＣＥから、前記端末デバイスの能力制限要求を取得することを含む。
【００３５】
さらに、前記ＭＳＧ３、ＭＳＧ５及びＭＡＣ ＣＥのいずれから、前記端末デバイスの能力制限の原因情報を取得することを含む。
【００３６】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００３７】
前記ＭＡＣ ＣＥにおいて、少なくとも１つのデータビットを含むデータ領域を検出し、ここで、前記少なくとも１つのデータビットにおいて、各データビットが１つの前記端末デバイスの能力制限の原因情報に対応し、前記データ領域内の目標データビットに基づいて目標値を設定し、前記端末デバイスの能力制限の原因を決定する。
【００３８】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原因がＵＥ送信要求をトリガする場合、対応するbitは１に設定される。
【００３９】
これに対応し、前記端末デバイスが制限される能力を使用するように許可する指令を前記端末デバイスに返信することは、前記端末デバイスが制限される能力を使用するように許可する指示が含まれるＭＳＧ４を、前記端末デバイスに送信すること、
又は、
前記端末デバイスが制限される能力を使用するように許可する指示が含まれるＭＡＣ ＣＥを、前記端末デバイスに送信することを含む。
【００４０】
前記方法は、さらに、前記端末デバイスから報告された少なくとも１つタイプの能力制限情報を記憶することと、前記少なくとも１つタイプの能力制限情報に基づいて、対応する無線リソースを前記端末デバイスに構成することとを含む。
【００４１】
また、前記端末デバイスが新たな基地局のカバーエリア内に移動した場合に、前記端末デバイスの少なくとも１つタイプの能力制限情報を前記新たな基地局に送信する。
【００４２】
ここで、新たな基地局は、端末デバイスの移動に伴って新しい基地局のカバレッジに入ったときにハンドオーバ処理フローが発生することがあり、このとき端末デバイスの少なくとも１つの能力制限情報を新たな基地局に直接送信することによって、新たな基地局と端末デバイスとの間で再度能力情報のやり取りを行うシグナリングのやり取りを減らすことができ、処理効率が向上する。
【００４３】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱などを付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、５ＧＣ（５Ｇ Ｃｏｒｅ、５Ｇコアネットワーク）とやり取り、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００４４】
別のシーンでは、図４を参照すると、ＵＥ報告による一時的制限方法である。
【００４５】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００４６】
ＵＥは、ＭＳＧ３又はＭＳＧ５において、端末デバイスの能力制限要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するｂｉｔは１に設定される
基地局は、端末デバイスに制限能力を使用できるようにする指示を端末デバイスに送信することによってＵＥ能力報告要求を開始し、ＵＥ能力報告要求メッセージに一時ＵＥ制限能力指示を報告するように要求する。その後、ＵＥメッセージを初期化する。
【００４７】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００４８】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００４９】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００５０】
実施例三、
本願は、端末デバイスを提供し、図６に示すように、第１の通信ユニット６１及び第１の処理ユニット６２を含み、
第１の通信ユニット６１は、端末デバイスが能力を制限する必要がある場合、前記端末デバイスの能力制限要求をネットワーク側に送信し、ネットワーク側から返信された、前記端末デバイスが制限される能力を使用するように許可する指示を受信するように構成され、
第１の処理ユニット６２は、前記端末デバイスが制限される能力を使用するように許可する指示に基づいて、前記第１の通信ユニットを介して前記ネットワーク側に少なくとも１つタイプの能力制限情報を送信するように構成される。
【００５１】
この実施例の第１の通信ユニット６１は、ＭＳＧ３又はＭＳＧ５に前記端末デバイスの能力制限要求を付け、
又は、
メディアアクセス制御層（ＭＡＣ）制御ユニット（ＣＥ）に、前記端末デバイスの能力制限要求を含ませるように構成される。
【００５２】
さらに、能力制限要求を送信する場合、ネットワーク側に制限能力に対応する原因情報も送信し、具体的に、第１の処理ユニット６２は、前記ＭＳＧ３、ＭＳＧ５及びＭＡＣ ＣＥのいずれかに、前記端末デバイスの能力制限の原因情報を含ませる。
【００５３】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００５４】
少なくとも１つのデータビットを含むデータ領域が前記ＭＡＣ ＣＥに設けられ、ここで、前記少なくとも１つのデータビットにおいて、各データビットが１つの前記端末デバイスの能力制限の原因情報に対応し、前記端末デバイスの今回の能力制限の原因情報に基づいて、前記データ領域において目標データビットを目標値として設定する。すなわち、原因情報に基づいて、対応する目標データビットを決定し、目標データビットを対応する目標値に設定する。目標値は、実際の状況に応じて設定されてよく、例えば、１に設定されたときに、対応する原因情報を表すことができる。
【００５５】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原意がＵＥ送信要求をトリガする場合、対応するbitは１に設定される。
【００５６】
さらに、前記ネットワーク側に少なくとも１つタイプの能力制限情報を送信することは、以下の方式を含む。
【００５７】
方式１として、ＭＳＧ５には、少なくとも１つのタイプの制限能力からなるリスト情報が含まれる。
【００５８】
すなわち、ブラックリストの一種の方式を用いて、複数の使用しない能力をネットワーク側に報告する。
【００５９】
方式２として、少なくとも１つタイプの一時制限される端末デバイスの能力情報をネットワーク側に報告する。
【００６０】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱なども付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００６１】
別のシーンでは、図４を参照すると、ＵＥ報告による一時的制限方法である。
【００６２】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００６３】
ＵＥは、ＭＳＧ３又はＭＳＧ５において、端末デバイスの能力制限要求要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するbitは１に設定される
基地局は、端末デバイスに制限能力を使用するように許可する指示を端末デバイスに送信することによってＵＥ能力報告要求を開始し、ＵＥ能力報告要求メッセージに一時ＵＥ制限能力指示を報告するように要求する。その後、ＵＥメッセージを初期化する。
【００６４】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００６５】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００６６】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００６７】
実施例四、
本願は、ネットワークデバイスを提供し、図７に示すように、第２の通信ユニット７１及び第２の処理ユニット７２を含み、
第２の通信ユニット７１は、前記端末デバイスから報告された能力制限要求を受信し、前記端末デバイスが制限される能力を使用するように許可する指令を前記端末デバイスに返信し、前記端末デバイスから報告され少なくとも１つタイプの能力制限情報を受信するように構成される。
【００６８】
この実施例の第２の通信ユニットは、７１ＭＳＧ３又はＭＳＧ５から、前記端末デバイスの能力制限要求を取得し、
又は、
メディアアクセス制御層ＭＡＣ制御ユニットＣＥから、前記端末デバイスの能力制限要求を取得するように構成される。
【００６９】
さらに、第２の処理ユニット７２は、前記ＭＳＧ３、ＭＳＧ５及びＭＡＣ ＣＥのいずれから、前記端末デバイスの能力制限の原因情報を取得するように構成される。
【００７０】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００７１】
前記ＭＡＣ ＣＥにおいて、少なくとも１つのデータビットを含むデータ領域を検出し、ここで、前記少なくとも１つのデータビットにおいて、各データビットが１つの前記端末デバイスの能力制限の原因情報に対応し、前記データ領域内の目標データビットに基づいて目標値を設定し、前記端末デバイスの能力制限の原因を決定する。
【００７２】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原意がＵＥ送信要求をトリガする場合、対応するbitは１に設定される。
【００７３】
これに対応し、前記端末デバイスが制限される能力を使用するように許可する指令を前記端末デバイスに返信することは、第２の通信ユニット７１は、前記端末デバイスが制限される能力を使用するように許可する指示をＭＳＧ４に含ませ、前記端末デバイスに送信し、
又は、
前記端末デバイスが制限される能力を使用するように許可する指示をＭＡＣ ＣＥに含ませ、前記端末デバイスに送信するように構成される。
【００７４】
前記第２の処理ユニット７２は、前記端末デバイスから報告された少なくとも１つタイプの能力制限情報を記憶し、前記少なくとも１つタイプの能力制限情報に基づいて、対応する無線リソースを前記端末デバイスに構成するように構成される。
【００７５】
また、前記端末デバイスが新たな基地局のカバーエリア内に移動した場合に、前記端末デバイスの少なくとも１つタイプの能力制限情報を前記新たな基地局に送信する。
【００７６】
ここで、新たな基地局は、端末デバイスの移動に伴って新しい基地局のカバレッジに入ったときにハンドオーバ処理フローが発生することがあり、このとき端末デバイスの少なくとも１つの能力制限情報を新たな基地局に直接送信することによって、新たな基地局と端末デバイスとの間で再度能力情報のやり取りを行うシグナリングのやり取りを減らすことができ、処理効率が向上する。
【００７７】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００７８】
本願はまた、図８に示されるように、少なくとも１つのプロセッサ８０１、メモリ８０２、少なくとも１つのネットワークインターフェース８０３を含む、端末デバイス、またはネットワークデバイスのハードウェア構成アーキテクチャを提供する。様々な構成要素は、バスシステム８０４によって互いに結合される。バスシステム８０４は、これらの構成要素間の接続通信を可能にするために使用されることが理解されよう。バスシステム８０４は、データバスの他に、電源バス、制御バス、ステータス信号バスなどを有する。ただし、説明を分かりやすくするために、図８では、様々なバスをバスシステム８０４と表記している。
【００７９】
本明細書におけるメモリ８０２は、揮発性メモリまたは不揮発性メモリであってもよく、または揮発性メモリと不揮発性メモリの両方を含んでもよいことが理解される。
【００８０】
いくつかの方式において、メモリ８０２は、実行可能モジュールもしくはデータ構造、それらのサブセット、またはそれらの拡張セットの要素として、オペレーティングシステム８０２１及びアプリケーションプログラム８０２２を記憶する。
【００８１】
そのうち、前記プロセッサ８０１は、実施例１又は実施例２で説明した方法ステップの全てを実行できるように構成され、ここでその説明が省略される。
【００８２】
本願は、コンピュータ実行可能命令を記憶したコンピュータ記憶媒体を提供し、前記コンピュータ実行可能命令は、実行されると、前記実施例１又は２の方法ステップを実施するが、ここでその説明を省略する。
【００８３】
本願発明は、ソフトウェア機能ブロックの形で実現され、独立した製品として販売又は使用される場合、一つのコンピュータ読み取り可能な記録媒体に格納されてもよい。このような理解に基づいて、本発明の技術的解決策の本質または従来技術に寄与する部分は、１つの記憶媒体に記憶されたソフトウェア製品の形態で具現化されてもよく、このソフトウェア製品は、パーソナルコンピュータ、サーバ、またはネットワークデバイスなどのコンピュータデバイスに、本発明の様々な実施形態に記載された方法の全てまたは一部を実行させるための複数の命令を含む。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本開示は、任意の特定のハードウェア及びソフトウェアの組み合わせに限定されない。
【００８４】
従って、本願は、本発明の開示のデータスケジューリング方法を実行するように構成されたコンピュータプログラムを記憶したコンピュータ記憶媒体をさらに提供する。
【００８５】
本発明の好ましい実施形態は、例示の目的で開示されているが、当業者であれば、種々の改良、追加、及び置換が可能であることを認識するであろう。
【図１】
2021502726.tif 000003
【図２】
2021502726.tif 000004
【図３】
2021502726.tif 000005
【図４】
2021502726.tif 000006
【図５】
2021502726.tif 000007
【図６】
2021502726.tif 000008
【図７】
2021502726.tif 000009
【図８】
2021502726.tif 000010
【手続補正書】
【提出日】令和2年9月18日(2020.9.18)
【手続補正１】
【補正対象書類名】明細書
【補正対象項目名】全文
【補正方法】変更
【補正の内容】
【発明の詳細な説明】
【技術分野】
【０００１】
本願は、情報処理技術分野に関し、特に、端末デバイスの能力制限方法、端末デバイス、ネットワークデバイス及びコンピュータ記憶媒体に関する。
【背景技術】
【０００２】
現在、人々が速度、遅延、高速移動性、エネルギー効率に対する追求、及び将来の生活におけるサービスの多様性、複雑性に伴い、３ＧＰＰ国際標準団体が５Ｇを開発している。ＮＲの早期展開では、完全なＮＲカバレージを取得することは困難であり、したがって、典型的なネットワークカバレージは、広域ＬＴＥカバレージおよびＮＲの離島カバレージモードである。
【０００３】
ＮＲにおける端末デバイスの能力取得のアーキテクチャに関して、報告はＵＥ要求に基づいて行われる。端末デバイスから見て、他のバンドからの干渉、過熱、バッテリー消耗等の問題が発生した場合、端末デバイスは、一時的に自分の能力を変更して基地局に報告し、制限される端末デバイスの能力情報を使用するように基地局に要求し、即ち、端末デバイスの能力使用を低下させることで、上記の問題を緩和することができ、ＵＥにとって有益かつ有意義である。しかしながら、端末デバイスが自律的に能力情報を変更すると、デバイスの不安定さ、ＵＥの予期せぬ挙動、追加のシグナリング負荷、およびユーザのクレームなどの問題を引き起こし得る。
【発明の概要】
【０００４】
本願は、以上の問題を解決するために、端末デバイスの能力制限方法、端末デバイス、ネットワークデバイス及びコンピュータ記憶媒体を提供する。
【０００５】
本願は、端末デバイスの能力制限方法を提供し、端末デバイスに応用され、
端末デバイスが能力を制限する必要がある場合、前記端末デバイスの能力制限要求をネットワーク側に送信することと、
ネットワーク側から返信された、前記端末デバイスが制限される能力を使用するように許可する指示を受信することと、
前記端末デバイスが制限される能力を使用するように許可する指示に基づいて、少なくとも１つタイプの能力制限情報をネットワーク側に送信することとを含む。
【０００６】
本願は、端末デバイス能力を制限する情報を提供し、ネットワークデバイスに応用され、
前記端末デバイスから報告された能力制限要求を受信することと、
前記端末デバイスが制限される能力を使用するように許可する指令を前記端末デバイスに返信することと、
前記端末デバイスから報告され少なくとも１つタイプの能力制限情報を受信することとを含む。
【０００７】
本願は、端末デバイスを提供し、第１の通信ユニット及び第１の処理ユニットを含み、
前記第１の通信ユニットは、端末デバイスが能力を制限する必要がある場合、前記端末デバイスの能力制限要求をネットワーク側に送信し、ネットワーク側から返信された、前記端末デバイスが制限される能力を使用するように許可する指示を受信するように構成され、
前記第１の処理ユニットは、前記端末デバイスが制限される能力を使用するように許可する指示に基づいて、前記第１の通信ユニットを介して前記ネットワーク側に少なくとも１つタイプの能力制限情報を送信するように構成される。
【０００８】
本願は、ネットワークデバイスを提供し、第２の通信ユニットを含み、
第２の通信ユニットは、前記端末デバイスから報告された能力制限要求を受信し、前記端末デバイスが制限される能力を使用するように許可する指令を前記端末デバイスに返信し、前記端末デバイスから報告され少なくとも１つタイプの能力制限情報を受信するように構成される。
【０００９】
本願は、端末デバイスを提供し、プロセッサと、前記プロセッサ上で実行可能なコンピュータプログラムを格納するメモリとを備え、
プロセッサは、コンピュータプログラムを実行することによって、上述した方法のステップを実行する。
【００１０】
本願は、ネットワークデバイスを提供し、プロセッサと、前記プロセッサ上で実行可能なコンピュータプログラムを格納するメモリとを備え、
プロセッサは、コンピュータプログラムを実行することによって、上述した方法のステップを実行する。
【００１１】
本願は、実行されると、上記方法ステップを実施するコンピュータ実行可能命令を記憶したコンピュータ記憶媒体をさらに提供する。
【００１２】
本願に係る技術案は、端末デバイスが一時制限されるＵＥ能力情報の使用要求を指示し、その後、一時制限される能力情報をネットワーク側に報告することで、ネットワーク側で以降の処理を行うようにトリガーし、端末デバイスの電力保護、干渉回避を図ることができる。
【図面の簡単な説明】
【００１３】
【図１】本願の端末デバイスの能力制限方法のフローチャート一である。
【図２】本願の情報フォーマットの模式図である。
【図３】本願の端末デバイスの能力制限方法のフローチャート二である
【図４】本願の端末デバイスの能力制限方法のフローチャート三である
【図５】本願の端末デバイスの能力制限方法のフローチャート四である
【図６】本願の端末デバイスの構成図である。
【図７】本願のネットワークデバイスの構成図である。
【図８】本願のハードウェアの構成図である。
【発明を実施するための形態】
【００１４】
本願の実施例は、本発明の特徴及び技術内容をより詳細に理解するために、添付図面と共に以下に詳細に説明され、添付図面は、説明のためのものであり、本願を限定するものではない。
【００１５】
実施例一、
本願は、端末デバイスの能力制限方法を提供し、端末デバイスに応用され、図１に示すように、ステップ１０１〜１０３を含む。
【００１６】
ステップ１０１において、端末デバイスが能力を制限する必要がある場合、前記端末デバイスの能力制限要求をネットワーク側に送信し
ステップ１０２において、ネットワーク側から返信された、前記端末デバイスが制限される能力を使用するように許可する指示を受信し、
ステップ１０３において、前記端末デバイスが制限される能力を使用するように許可する指示に基づいて、少なくとも１つタイプの能力制限情報をネットワーク側に送信する。
【００１７】
この実施例のステップ１０１にいて、ネットワーク側に前記端末デバイスの能力制限要求をすることは、複数の実現方式を含み、具体的に、
ＭＳＧ３又はＭＳＧ５に前記端末デバイスの能力制限要求を付け、
又は、
メディアアクセス制御層（ＭＡＣ）制御ユニット（ＣＥ）には、前記端末デバイスの能力制限要求が含まれる。
【００１８】
さらに、能力制限要求を送信する場合、ネットワーク側に能力制限に対応する原因情報を送信しても良く、具体的に、前記ＭＳＧ３、ＭＳＧ５及びＭＡＣ ＣＥのいずれかには、前記端末デバイスの能力制限の原因情報が含まれる。
【００１９】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００２０】
少なくとも１つのデータビットを含むデータ領域が前記ＭＡＣ ＣＥに設けられ、ここで、前記少なくとも１つのデータビットにおいて、各データビットが１つの前記端末デバイスの能力制限の原因情報に対応し、前記端末デバイスの今回の能力制限の原因情報に基づいて、前記データ領域において目標データビットを目標値として設定する。すなわち、原因情報に基づいて、対応する目標データビットを決定し、目標データビットを対応する目標値に設定する。目標値は、実際の状況に応じて設定されてよく、例えば、１に設定されたときに、対応する原因情報を表すことができる。
【００２１】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原因がＵＥ送信要求をトリガする場合、対応するｂｉｔは１に設定される。
【００２２】
さらに、ステップ１０３において、前記ネットワーク側に少なくとも１つタイプの能力制限情報を送信することは、以下の方式を含む。
【００２３】
方式１として、ＭＳＧ５には、少なくとも１つのタイプの制限能力からなるリスト情報が含まれることを含む。
【００２４】
すなわち、ブラックリストの一種の方式を用いて、複数の使用しない能力をネットワーク側に報告する。
【００２５】
方式２として、少なくとも１つタイプの一時制限される端末デバイスの能力情報をネットワーク側に報告することを含む。
【００２６】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱なども付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００２７】
別のシーンでは、図４を参照すると、ＵＥ報告による一時的制限方法である。
【００２８】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００２９】
ＵＥは、ＭＳＧ３又はＭＳＧ５において、端末デバイスの能力制限要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するbitは１に設定される
基地局は、端末デバイスに制限能力を使用できるようにする指示を端末デバイスに送信することによってＵＥ能力報告要求を開始し、ＵＥ能力報告要求メッセージに一時ＵＥ制限される能力指示を報告するように要求する。その後、ＵＥメッセージを初期化する。
【００３０】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００３１】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００３２】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００３３】
実施例二、
本願は、端末デバイスの能力制限方法を提供し、ネットワークデバイスに応用され、図５に示すように、ステップ５０１〜５０３を含み、
ステップ５０１において、端末デバイスが能力を制限する必要がある場合、前記端末デバイスから報告された能力制限要求を受信し、
ステップ５０２において、前記端末デバイスが制限される能力を使用するように許可する指令を前記端末デバイスに返信し、
ステップ５０３において、前記端末デバイスから報告され少なくとも１つタイプの能力制限情報を受信する。
【００３４】
この実施例のステップ５０１において、前記端末デバイスから報告された能力制限要求を受信することは、
ＭＳＧ３又はＭＳＧ５から、前記端末デバイスの能力制限要求を取得し、
又は、
メディアアクセス制御層ＭＡＣ制御ユニットＣＥから、前記端末デバイスの能力制限要求を取得することを含む。
【００３５】
さらに、前記ＭＳＧ３、ＭＳＧ５及びＭＡＣ ＣＥのいずれから、前記端末デバイスの能力制限の原因情報を取得することを含む。
【００３６】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００３７】
前記ＭＡＣ ＣＥにおいて、少なくとも１つのデータビットを含むデータ領域を検出し、ここで、前記少なくとも１つのデータビットにおいて、各データビットが１つの前記端末デバイスの能力制限の原因情報に対応し、前記データ領域内の目標データビットに基づいて目標値を設定し、前記端末デバイスの能力制限の原因を決定する。
【００３８】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原因がＵＥ送信要求をトリガする場合、対応するbitは１に設定される。
【００３９】
これに対応し、前記端末デバイスが制限される能力を使用するように許可する指令を前記端末デバイスに返信することは、前記端末デバイスが制限される能力を使用するように許可する指示が含まれるＭＳＧ４を、前記端末デバイスに送信すること、
又は、
前記端末デバイスが制限される能力を使用するように許可する指示が含まれるＭＡＣ ＣＥを、前記端末デバイスに送信することを含む。
【００４０】
前記方法は、さらに、前記端末デバイスから報告された少なくとも１つタイプの能力制限情報を記憶することと、前記少なくとも１つタイプの能力制限情報に基づいて、対応する無線リソースを前記端末デバイスに構成することとを含む。
【００４１】
また、前記端末デバイスが新たな基地局のカバーエリア内に移動した場合に、前記端末デバイスの少なくとも１つタイプの能力制限情報を前記新たな基地局に送信する。
【００４２】
ここで、新たな基地局は、端末デバイスの移動に伴って新しい基地局のカバレッジに入ったときにハンドオーバ処理フローが発生することがあり、このとき端末デバイスの少なくとも１つの能力制限情報を新たな基地局に直接送信することによって、新たな基地局と端末デバイスとの間で再度能力情報のやり取りを行うシグナリングのやり取りを減らすことができ、処理効率が向上する。
【００４３】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱などを付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、５ＧＣ（５Ｇ Ｃｏｒｅ、５Ｇコアネットワーク）とやり取り、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００４４】
別のシーンでは、図４を参照すると、ＵＥ報告による一時的制限方法である。
【００４５】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００４６】
ＵＥは、ＭＳＧ３又はＭＳＧ５において、端末デバイスの能力制限要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するｂｉｔは１に設定される
基地局は、端末デバイスに制限能力を使用できるようにする指示を端末デバイスに送信することによってＵＥ能力報告要求を開始し、ＵＥ能力報告要求メッセージに一時ＵＥ制限能力指示を報告するように要求する。その後、ＵＥメッセージを初期化する。
【００４７】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００４８】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００４９】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００５０】
実施例三、
本願は、端末デバイスを提供し、図６に示すように、第１の通信ユニット６１及び第１の処理ユニット６２を含み、
第１の通信ユニット６１は、端末デバイスが能力を制限する必要がある場合、前記端末デバイスの能力制限要求をネットワーク側に送信し、ネットワーク側から返信された、前記端末デバイスが制限される能力を使用するように許可する指示を受信するように構成され、
第１の処理ユニット６２は、前記端末デバイスが制限される能力を使用するように許可する指示に基づいて、前記第１の通信ユニットを介して前記ネットワーク側に少なくとも１つタイプの能力制限情報を送信するように構成される。
【００５１】
この実施例の第１の通信ユニット６１は、ＭＳＧ３又はＭＳＧ５に前記端末デバイスの能力制限要求を付け、
又は、
メディアアクセス制御層（ＭＡＣ）制御ユニット（ＣＥ）に、前記端末デバイスの能力制限要求を含ませるように構成される。
【００５２】
さらに、能力制限要求を送信する場合、ネットワーク側に制限能力に対応する原因情報も送信し、具体的に、第１の処理ユニット６２は、前記ＭＳＧ３、ＭＳＧ５及びＭＡＣ ＣＥのいずれかに、前記端末デバイスの能力制限の原因情報を含ませる。
【００５３】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００５４】
少なくとも１つのデータビットを含むデータ領域が前記ＭＡＣ ＣＥに設けられ、ここで、前記少なくとも１つのデータビットにおいて、各データビットが１つの前記端末デバイスの能力制限の原因情報に対応し、前記端末デバイスの今回の能力制限の原因情報に基づいて、前記データ領域において目標データビットを目標値として設定する。すなわち、原因情報に基づいて、対応する目標データビットを決定し、目標データビットを対応する目標値に設定する。目標値は、実際の状況に応じて設定されてよく、例えば、１に設定されたときに、対応する原因情報を表すことができる。
【００５５】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原意がＵＥ送信要求をトリガする場合、対応するbitは１に設定される。
【００５６】
さらに、前記ネットワーク側に少なくとも１つタイプの能力制限情報を送信することは、以下の方式を含む。
【００５７】
方式１として、ＭＳＧ５には、少なくとも１つのタイプの制限能力からなるリスト情報が含まれる。
【００５８】
すなわち、ブラックリストの一種の方式を用いて、複数の使用しない能力をネットワーク側に報告する。
【００５９】
方式２として、少なくとも１つタイプの一時制限される端末デバイスの能力情報をネットワーク側に報告する。
【００６０】
この実施例で提供される解決策は、図３、４に関連して提供される２つのシーンを参照して、以下でそれぞれさらに詳述される
まず、図３を参照すると、ブラックリストに基づく方法として、
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したく、その後、ＵＥ (すなわち、端末デバイス)は、ネットワーク側の基地局( ｇＮＢ )に、インタラクションプリアンブル( Ｐｒｅａｍｂｌｅ )を送信し、ｇＮＢフィードバックされたランダムアクセス応答( ＲＡＲ )を受信し、
ＵＥは、ＭＳＧ３において、端末デバイスの能力制限要求を追加し、又は、端末デバイスの能力制限要求をＭＡＣ ＣＥ形式で付ける。任意選択で、端末デバイスの能力制限をトリガする原因情報、例えば、干渉、電力不足、過熱なども付け、
ネットワーク側は、ＭＳＧ４において端末デバイスが制限された能力を使用することを許可する指示を搬送するか、又はＭＡＣ ＣＥにおいて端末デバイスが制限された能力を使用することを許可する指示を搬送し、
ＵＥは、ＭＳＧ５において、少なくとも１つの制限能力からなるリスト情報、すなわち、使用されない能力ブラックリストから成るリスト情報を搬送し、
基地局は、使用されない能力ブラックリストを記憶し、その後、初期ＵＥメッセージ、初期コンテキスト確立を行い、ＵＥの静的能力情報全体を取得し、
基地局は、このＵＥの使用されない能力ブラックリスト及びこのＵＥの静的能力情報を格納することにより、前記ＵＥの一時的な制限されたＵＥ能力情報を取得し、
基地局は、前記取得した制限されたＵＥ能力情報に従ってＵＥの無線リソースを構成し、
移動の場合、ブラックリストの報告方式に対して、ソース側の基地局は、使用されない能力ブラックリストとＵＥ静的能力情報を目標側基地局に転送する。
【００６１】
別のシーンでは、図４を参照すると、ＵＥ報告による一時的制限方法である。
【００６２】
ＵＥはｉｄｌｅ状態にあり、ＵＥ初期サービス又はネットワーク側ページングがあり、ＵＥはＲＲＣ接続を開始する。また、ＵＥは、電力不足のため、制限されたＵＥ能力を使用したい。
【００６３】
ＵＥは、ＭＳＧ３又はＭＳＧ５において、端末デバイスの能力制限要求要求を追加し、又は、端末デバイスの能力制限要求をＭＡＣ ＣＥ形式で付ける。任意選択で、干渉、電力不足、過熱などのような、ＵＥが一時的に制限されたＵＥ能力情報を開始することをトリガする原因を搬送する。ここで、ＭＡＣ ＣＥ方式であれば、ＭＡＣ ＣＥ自体は使用制限ＵＥ能力要求指示を示し、ＭＡＣ ＣＥのために対応する論理チャネルＩＤ、すなわちＬＣＩＤを定義する。ＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する理由がＵＥ送信要求をトリガする場合、対応するbitは１に設定される
基地局は、端末デバイスに制限能力を使用するように許可する指示を端末デバイスに送信することによってＵＥ能力報告要求を開始し、ＵＥ能力報告要求メッセージに一時ＵＥ制限能力指示を報告するように要求する。その後、ＵＥメッセージを初期化する。
【００６４】
ＵＥは、少なくとも１つの一時的に制限された端末デバイスの能力情報をネットワーク側に報告し、その後、基地局は、初期コンテキスト確立を行い、ＵＥ静的な全ての能力情報を取得する。
【００６５】
基地局は、ＵＥの一時的な制限されたＵＥ能力情報を記憶し、その取得された制限されたＵＥ能力情報に従ってＵＥの無線リソースを構成する。その後、基地局とＵＥとの間で、セキュアアクティブ及び無線リソース構成の処理フローが行われる。
【００６６】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００６７】
実施例四、
本願は、ネットワークデバイスを提供し、図７に示すように、第２の通信ユニット７１及び第２の処理ユニット７２を含み、
第２の通信ユニット７１は、前記端末デバイスから報告された能力制限要求を受信し、前記端末デバイスが制限される能力を使用するように許可する指令を前記端末デバイスに返信し、前記端末デバイスから報告され少なくとも１つタイプの能力制限情報を受信するように構成される。
【００６８】
この実施例の第２の通信ユニットは、７１ＭＳＧ３又はＭＳＧ５から、前記端末デバイスの能力制限要求を取得し、
又は、
メディアアクセス制御層ＭＡＣ制御ユニットＣＥから、前記端末デバイスの能力制限要求を取得するように構成される。
【００６９】
さらに、第２の処理ユニット７２は、前記ＭＳＧ３、ＭＳＧ５及びＭＡＣ ＣＥのいずれから、前記端末デバイスの能力制限の原因情報を取得するように構成される。
【００７０】
ここで、ＭＳＧ３又はＭＳＧ５に制限能力を設定する原因情報は、例えば、原因値が１であることが電力不足であること等の、特定のフィールドに対応する原因値を設定することができ、他の原因値及び対応する原因情報も存在してもよく、ここで網羅しない。
【００７１】
前記ＭＡＣ ＣＥにおいて、少なくとも１つのデータビットを含むデータ領域を検出し、ここで、前記少なくとも１つのデータビットにおいて、各データビットが１つの前記端末デバイスの能力制限の原因情報に対応し、前記データ領域内の目標データビットに基づいて目標値を設定し、前記端末デバイスの能力制限の原因を決定する。
【００７２】
例えば、図２に示すように、ＭＡＣ ＣＥにおいて、対応する論理チャネルＩＤ、すなわちＬＣＩＤが定義され、このＭＡＣ ＣＥの各ｂｉｔは、ＵＥが一時的に制限されたＵＥ能力を使用することを導入する１つの原因に対応する。例えば、下位１番目のｂｉｔが電力不足、２番目のｂｉｔが干渉原因、３番目のｂｉｔが過熱などである。対応する原意がＵＥ送信要求をトリガする場合、対応するbitは１に設定される。
【００７３】
これに対応し、前記端末デバイスが制限される能力を使用するように許可する指令を前記端末デバイスに返信することは、第２の通信ユニット７１は、前記端末デバイスが制限される能力を使用するように許可する指示をＭＳＧ４に含ませ、前記端末デバイスに送信し、
又は、
前記端末デバイスが制限される能力を使用するように許可する指示をＭＡＣ ＣＥに含ませ、前記端末デバイスに送信するように構成される。
【００７４】
前記第２の処理ユニット７２は、前記端末デバイスから報告された少なくとも１つタイプの能力制限情報を記憶し、前記少なくとも１つタイプの能力制限情報に基づいて、対応する無線リソースを前記端末デバイスに構成するように構成される。
【００７５】
また、前記端末デバイスが新たな基地局のカバーエリア内に移動した場合に、前記端末デバイスの少なくとも１つタイプの能力制限情報を前記新たな基地局に送信する。
【００７６】
ここで、新たな基地局は、端末デバイスの移動に伴って新しい基地局のカバレッジに入ったときにハンドオーバ処理フローが発生することがあり、このとき端末デバイスの少なくとも１つの能力制限情報を新たな基地局に直接送信することによって、新たな基地局と端末デバイスとの間で再度能力情報のやり取りを行うシグナリングのやり取りを減らすことができ、処理効率が向上する。
【００７７】
このように、上記の構成を採用することで、端末デバイスから一時制限ＵＥ能力情報の使用要求を指示し、その後、ネットワーク側に一時制限能力情報を通知することで、ネットワーク側で以降の処理をトリガすることができ、端末デバイスの電力保護、干渉回避を図ることができる。
【００７８】
本願はまた、図８に示されるように、少なくとも１つのプロセッサ８０１、メモリ８０２、少なくとも１つのネットワークインターフェース８０３を含む、端末デバイス、またはネットワークデバイスのハードウェア構成アーキテクチャを提供する。様々な構成要素は、バスシステム８０４によって互いに結合される。バスシステム８０４は、これらの構成要素間の接続通信を可能にするために使用されることが理解されよう。バスシステム８０４は、データバスの他に、電源バス、制御バス、ステータス信号バスなどを有する。ただし、説明を分かりやすくするために、図８では、様々なバスをバスシステム８０４と表記している。
【００７９】
本明細書におけるメモリ８０２は、揮発性メモリまたは不揮発性メモリであってもよく、または揮発性メモリと不揮発性メモリの両方を含んでもよいことが理解される。
【００８０】
いくつかの方式において、メモリ８０２は、実行可能モジュールもしくはデータ構造、それらのサブセット、またはそれらの拡張セットの要素として、オペレーティングシステム８０２１及びアプリケーションプログラム８０２２を記憶する。
【００８１】
そのうち、前記プロセッサ８０１は、実施例１又は実施例２で説明した方法ステップの全てを実行できるように構成され、ここでその説明が省略される。
【００８２】
本願は、コンピュータ実行可能命令を記憶したコンピュータ記憶媒体を提供し、前記コンピュータ実行可能命令は、実行されると、前記実施例１又は２の方法ステップを実施するが、ここでその説明を省略する。
【００８３】
本願発明は、ソフトウェア機能ブロックの形で実現され、独立した製品として販売又は使用される場合、一つのコンピュータ読み取り可能な記録媒体に格納されてもよい。このような理解に基づいて、本発明の技術的解決策の本質または従来技術に寄与する部分は、１つの記憶媒体に記憶されたソフトウェア製品の形態で具現化されてもよく、このソフトウェア製品は、パーソナルコンピュータ、サーバ、またはネットワークデバイスなどのコンピュータデバイスに、本発明の様々な実施形態に記載された方法の全てまたは一部を実行させるための複数の命令を含む。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本開示は、任意の特定のハードウェア及びソフトウェアの組み合わせに限定されない。
【００８４】
本発明の好ましい実施形態は、例示の目的で開示されているが、当業者であれば、種々の改良、追加、及び置換が可能であることを認識するであろう。
【手続補正２】
【補正対象書類名】特許請求の範囲
【補正対象項目名】全文
【補正方法】変更
【補正の内容】
【特許請求の範囲】
【請求項１】
端末デバイスに応用される端末デバイスの能力制限方法であって、
端末デバイスが能力を制限する必要がある場合、前記端末デバイスの能力制限要求をネットワーク側に送信することと、
ネットワーク側から返信された、前記端末デバイスが制限される能力を使用するように許可する指示を受信することと、
前記端末デバイスが制限される能力を使用するように許可する指示に基づいて、少なくとも１つタイプの能力制限情報をネットワーク側に送信することとを含む
ことを特徴とする端末デバイスの能力制限方法。
【請求項２】
前記端末デバイスの能力制限要求をネットワーク側に送信することは、
ＭＳＧ３又はＭＳＧ５に前記端末デバイスの能力制限要求を付けることを含む
ことを特徴とする請求項１に記載の端末デバイスの能力制限方法。
【請求項３】
前記端末デバイスの能力制限要求をネットワーク側に送信することは、
メディアアクセス制御層ＭＡＣ制御ユニットＣＥには、前記端末デバイスの能力制限要求が含まれる
ことを特徴とする請求項１に記載の端末デバイスの能力制限方法。
【請求項４】
前記方法は、さらに、
前記ＭＳＧ３、ＭＳＧ５及びＭＡＣ ＣＥのいずれかには、前記端末デバイスの能力制限の原因情報が含まれる
ことを特徴とする請求項２又は３に記載の端末デバイスの能力制限方法。
【請求項５】
前記方法は、さらに、
少なくとも１つのデータビットを含むデータ領域が前記ＭＡＣ ＣＥに設けられ、前記少なくとも１つのデータビットにおいて、各データビットが１つの前記端末デバイスの能力制限の原因情報に対応することと、
前記端末デバイスの今回の能力制限の原因情報に基づいて、前記データ領域において目標データビットを目標値として設定することとを含む
ことを特徴とする請求項４に記載の端末デバイスの能力制限方法。
【請求項６】
少なくとも１つタイプの能力制限情報を前記ネットワーク側に送信することは、
ＭＳＧ５には、少なくとも１つのタイプの制限能力からなるリスト情報が含まれることを含む
ことを特徴とする請求項１に記載の端末デバイスの能力制限方法。
【請求項７】
少なくとも１つタイプの能力制限情報を前記ネットワーク側に送信することは、
少なくとも１つタイプの一時制限される端末デバイスの能力情報をネットワーク側に報告することを含む
ことを特徴とする請求項１に記載の端末デバイスの能力制限方法。
【請求項８】
ネットワークデバイスに応用される端末デバイスの能力制限方法であって、
前記端末デバイスから報告された能力制限要求を受信することと、
前記端末デバイスが制限される能力を使用するように許可する指令を前記端末デバイスに返信することと、
前記端末デバイスから報告され少なくとも１つタイプの能力制限情報を受信することとを含む
ことを特徴とする端末デバイスの能力制限方法。
【請求項９】
前記端末デバイスから報告された能力制限要求を受信することは、
ＭＳＧ３又はＭＳＧ５から、前記端末デバイスの能力制限要求を取得することを含む
ことを特徴とする請求項８に記載の端末デバイスの能力制限方法。
【請求項１０】
前記端末デバイスが制限される能力を使用するように許可する指令を前記端末デバイスに返信することは、
前記端末デバイスが制限される能力を使用するように許可する指示が含まれるＭＳＧ４を、前記端末デバイスに送信することを含む
ことを特徴とする請求項９に記載の端末デバイスの能力制限方法。
【請求項１１】
前記端末デバイスから報告された能力制限要求を受信することは、
メディアアクセス制御層ＭＡＣ制御ユニットＣＥから、前記端末デバイスの能力制限要求を取得することを含む
ことを特徴とする請求項８に記載の端末デバイスの能力制限方法。
【請求項１２】
前記端末デバイスが制限される能力を使用するように許可する指令を前記端末デバイスに返信することは、
前記端末デバイスが制限される能力を使用するように許可する指示が含まれるＭＡＣ ＣＥを、前記端末デバイスに送信することを含む
ことを特徴とする請求項１１に記載の端末デバイスの能力制限方法。
【請求項１３】
前記方法は、さらに、
前記ＭＳＧ３、ＭＳＧ５及びＭＡＣ ＣＥのいずれから、前記端末デバイスの能力制限の原因情報を取得することを含む
ことを特徴とする請求項９〜１２のいずれか１項に記載の端末デバイスの能力制限方法。
【請求項１４】
請求項１〜７のいずれかの端末デバイスの能力制限方法を実行する
ことを特徴とする端末デバイス。
【請求項１５】
請求項８〜１３のいずれかの端末デバイスの能力制限方法を実行する
ことを特徴とするネットワークデバイス。
【手続補正３】
【補正対象書類名】図面
【補正対象項目名】全図
【補正方法】変更
【補正の内容】
【図１】
2021502726.tif 000011
【図２】
2021502726.tif 000012
【図３】
2021502726.tif 000013
【図４】
2021502726.tif 000014
【図５】
2021502726.tif 000015
【図６】
2021502726.tif 000016
【図７】
2021502726.tif 000017
【図８】
2021502726.tif 000018
【国際調査報告】
2021502726.tif 000019
2021502726.tif 000020
2021502726.tif 000021
2021502726.tif 000022